(57)【要約】【課題】トラクタに装着して農作業を行う作業機に使用するバッテリの容量を監視する農作業機のバッテリ監視システムを提供することを目的とする。【解決手段】トラクタ１に装着して農作業を行う作業機２と、操作スイッチを具備する操作ボックス４０とを備え、作業機２は、作業機２に設けられ操作ボックス４０の操作スイッチ４０ｃの操作に基づき作動する出力機器１１と、出力機器１１の電源となるバッテリ１５の容量を計測するバッテリ監視部１０と、制御部２０とを有し、制御部２０は、操作ボックス４０にバッテリ容量の情報を送信し、操作ボックス４０は、認識手段４０ｂを有し、制御部２０から送信されたバッテリ容量の情報に基づきバッテリ容量が一定以下になったことを認識手段４０ｂで知らせる。【選択図】図１
2011153962.tif 000002
【特許請求の範囲】
【請求項１】
トラクタに装着して農作業を行う作業機と、操作スイッチを具備する操作ボックスとを備え、
前記作業機は、当該作業機に設けられ前記操作ボックスの操作スイッチの操作に基づき作動する出力機器と、前記出力機器の電源となるバッテリの容量を計測するバッテリ監視部と、制御部とを有し、
前記制御部は、前記操作ボックスにバッテリ容量の情報を送信し、
前記操作ボックスは、認識手段を有し、前記制御部から送信されたバッテリ容量の情報に基づきバッテリ容量が一定以下になったことを前記認識手段で知らせることを特徴とする農作業機のバッテリ監視システム。
【請求項２】
請求項１に記載の農作業機のバッテリ監視システムにおいて、
前記作業機は、作業機バッテリを有し、前記バッテリ監視部は、前記作業機バッテリの容量を監視することを特徴とする農作業機のバッテリ監視システム。
【請求項３】
請求項２に記載の農作業機のバッテリ監視システムにおいて、
前記作業機バッテリは、トラクタに設置されたトラクタバッテリとハーネスを介して接続可能であることを特徴とする農作業機のバッテリ監視システム。
【請求項４】
請求項２に記載の農作業機のバッテリ監視システムにおいて、
前記作業機バッテリは、トラクタの外部電源と接続可能であることを特徴とする農作業機のバッテリ監視システム。
【請求項５】
請求項１又は請求項２に記載の農作業機のバッテリ監視システムにおいて、
前記バッテリ監視部は、トラクタに設置されたトラクタバッテリとハーネスを介して接続され、前記トラクタバッテリの容量を監視可能であることを特徴とする農作業機のバッテリ監視システム。
【請求項６】
請求項１又は請求項２に記載の農作業機のバッテリ監視システムにおいて、
前記バッテリ監視部は、トラクタの外部電源と接続され、トラクタに設置されたトラクタバッテリの容量を監視可能であることを特徴とする農作業機のバッテリ監視システム。
【請求項７】
請求項１から請求項６のいずれか一項に記載の農作業機のバッテリ監視システムにおいて、
前記制御部と前記操作ボックスはハーネスにより接続され、前記制御部と前記操作ボックスは有線により情報のやりとりが行われることを特徴とする農作業機のバッテリ監視システム。
【請求項８】
請求項１から請求項６のいずれか一項に記載の農作業機のバッテリ監視システムにおいて、
前記作業機と前記操作ボックスには、それぞれ無線送受信部を有し、前記制御部と前記操作ボックスは無線により情報のやりとりが行われることを特徴とする農作業機のバッテリ監視システム。
【請求項９】
請求項１から請求項８のいずれか一項に記載の農作業機のバッテリ監視システムにおいて、
前記認識手段は、光の点灯、音による報知、液晶による表示の少なくともいずれか１つによりバッテリ容量が一定以下になったことを知らせることを特徴とする農作業機のバッテリ監視システム。
【発明の詳細な説明】
【技術分野】
【０００１】
本発明は、農作業機に関し、特に、トラクタに装着して農作業を行う作業機に使用するバッテリの容量を監視する農作業機のバッテリ監視システムに関する。
【背景技術】
【０００２】
従来トラクタに装着して農作業を行う作業機では、作業機に設置された出力機器を使用するための電源としてバッテリがよく使用される。使用するバッテリとしては、トラクタに装備されたバッテリ等を使用している。例えば特許文献１にトラクタ側バッテリを使用する農作業機が記載されている。
【先行技術文献】
【特許文献】
【０００３】
【特許文献１】特開２００５−１５１９２０号公報
【発明の概要】
【発明が解決しようとする課題】
【０００４】
作業機にバッテリを使用している場合、バッテリの容量がなくなった事を作業機に設置された出力機器が動かなくなって初めて気がつくケースが多い。この場合、バッテリに電力を補充する必要があり、かなりの手間がかかる。特に、農繁期等には大きな時間のロスとなる。また、特許文献１に記載のトラクタに装着する農作業機も同様の問題が生じる。
【０００５】
本発明は、上記課題に鑑みて、トラクタに装着して農作業を行う作業機に使用するバッテリの容量を監視する農作業機のバッテリ監視システムを提供することを目的とする。
【課題を解決するための手段】
【０００６】
上記目的を達成するため、本発明の農作業機のバッテリ監視システムは、トラクタに装着して農作業を行う作業機と、操作スイッチを具備する操作ボックスとを備え、前記作業機は、当該作業機に設けられ前記操作ボックスの操作スイッチの操作に基づき作動する出力機器と、前記出力機器の電源となるバッテリの容量を計測するバッテリ監視部と、制御部とを有し、前記制御部は、前記操作ボックスにバッテリ容量の情報を送信し、前記操作ボックスは、認識手段を有し、前記制御部から送信されたバッテリ容量の情報に基づきバッテリ容量が一定以下になったことを前記認識手段で知らせることを特徴とする。
【０００７】
さらに本発明の農作業機のバッテリ監視システムは、前記作業機が、作業機バッテリを有し、前記バッテリ監視部は、前記作業機バッテリの容量を監視することを特徴とする。
さらに本発明の農作業機のバッテリ監視システムは、前記作業機バッテリが、トラクタに設置されたトラクタバッテリとハーネスを介して接続可能であることを特徴とする。
さらに本発明の農作業機のバッテリ監視システムは、前記作業機バッテリが、トラクタの外部電源と接続可能であることを特徴とする
さらに本発明の農作業機のバッテリ監視システムは、前記バッテリ監視部が、トラクタに設置されたトラクタバッテリとハーネスを介して接続され、前記トラクタバッテリの容量を監視可能であることを特徴とする。
さらに本発明の農作業機のバッテリ監視システムは、トラクタの外部電源と接続され、トラクタに設置されたトラクタバッテリの容量を監視可能であることを特徴とする。
【０００８】
さらに本発明の農作業機のバッテリ監視システムは、前記制御部と前記操作ボックスはハーネスにより接続され、前記制御部と前記操作ボックスは有線により情報のやりとりが行われることを特徴とする。
さらに本発明の農作業機のバッテリ監視システムは、前記作業機と前記操作ボックスには、それぞれ無線送受信部を有し、前記制御部と前記操作ボックスは無線により情報のやりとりが行われることを特徴とする。
さらに本発明の農作業機のバッテリ監視システムは、前記認識手段は、光の点灯、音による報知、液晶による表示の少なくともいずれか１つによりバッテリ容量が一定以下になったことを知らせることを特徴とする。
【発明の効果】
【０００９】
本発明によれば、農作業機のバッテリ監視システムにおいて、トラクタに装着して農作業を行う作業機に使用するバッテリの容量を監視することができる。
【図面の簡単な説明】
【００１０】
【図１】実施例１の農作業機のバッテリ監視システムの全体構成図を示す。
【図２】本発明の農作業機のバッテリ監視システムにおける操作ボックスの拡大図を示す。
【図３】本発明の農作業機のバッテリ監視システムが適用される作業機の一例を示す正面図である。
【図４】本発明の農作業機のバッテリ監視システムが適用される作業機の一例を示す平面図をある。
【図５】実施例２の農作業機のバッテリ監視システムの全体構成図を示す。
【図６】実施例３の農作業機のバッテリ監視システムの全体構成図を示す。
【図７】実施例４の農作業機のバッテリ監視システムの全体構成図を示す。
【発明を実施するための形態】
【００１１】
本発明を実施するための形態を説明する。
【実施例１】
【００１２】
図１は、実施例１の全体構成図を示す。トラクタ１には、作業機２が装着されており、作業機２は農作業を行う。作業機２は、トラクタ１に対して付け替え可能となっており、作業者は、行う農作業に合わせて、作業機２を付け替えることができる。作業機２には、バッテリ監視ユニット１０と、制御ボックス２０と、出力機器１１とを有している。一方、トラクタ１側には、トラクタバッテリ１５を有しており、操作ボックス４０が配置可能となっている。
【００１３】
トラクタバッテリ１５は、例えば、ニッケル水素電池や鉛蓄電池、リチウムイオン電池、リチウム電池等の二次電池で構成されるバッテリでありトラクタ１に設置されている。そして、トラクタに必要な電力を供給できる。実施例１では、出力機器１１や制御ボックス２０等の作業機２側にも電力を供給している。
【００１４】
外部電源ハーネス３１は、一端がトラクタバッテリ１５と接続され他端が接続部３１ａとなっているハーネス（配線）であり、途中にスイッチ３２を有している。これにより、スイッチ３２がＯＮになった時のみ、トラクタバッテリ１５の電力が、接続部３１ａ側に供給される。スイッチ３２はトラクタ１のエンジン始動のスイッチと共有でき、例えば、エンジン始動のためのキーを回転させるときにＯＮとなるように構成することができる。これにより、トラクタのエンジンキーがＯＮになっているとき電力を供給でき、接続部３１ａは外部電源として各種の機器に接続可能となっている。
【００１５】
ハーネス３３の一端は、バッテリ監視ユニット１０に接続され、ハーネス３３の他端は、接続部３３ａとなっている。これらの接続部はコネクタ形状であり、トラクタ１と作業機２の間において、外部電源ハーネス３１の接続部３１ａと脱着可能となっている。
【００１６】
バッテリ監視ユニット１０は、トラクタバッテリ１５と制御ボックス２０の間に接続されるバッテリ監視部であり、トラクタバッテリ１５の現在の容量を監視する。容量の監視の方式としては、例えば、バッテリの電圧を計測する方式や、電流を測定して積算して充電以降の合計の電力量から残りの容量を見る方式が挙げられる。また、鉛電池の場合は希硫酸の濃度を測る方式も採用できる。
【００１７】
出力機器１１は、アクチュエータ等の作業機に設置される必要な出力機器である。具体例は後述する。そして、出力機器１１の電源は、トラクタバッテリ１５から得られている。
【００１８】
制御ボックス２０は、操作ボックス４０からの操作信号（操作情報）をもとに、出力機器１１の制御を行う。さらに、バッテリ監視ユニット１０からの情報を得て、バッテリの容量に関する情報を、操作ボックス４０へ送信する。例えば、上述した電圧値が一定以下になった場合や、電流値の積算値が一定以上になった場合や、希硫酸の濃度が一定以下になった場合に、バッテリの容量が少なくなったと判断して、その情報を送信する。これらは、制御ボックス２０内の制御部で行い、制御部はそのために必要な電子デバイスなどで構成される。
【００１９】
制御ボックス２０と操作ボックス４０の間は、ハーネス２１、４１によって接続される。ハーネス２１とハーネス４１は、ハーネス２１の接続部２１ａとハーネス４１の接続部４１ａを有しており、これらの接続部はコネクタ形状であり、トラクタ１と作業機２の間において、脱着可能となっている。これにより、操作ボックス４０から出力機器１１を遠隔操作可能となる。操作ボックス４０は、運転席３近傍に配置すれば、作業者は運転しながら操作することが可能となる。
【００２０】
図２は、本発明の農作業機のバッテリ監視システムにおける操作ボックスの拡大図を示す。操作ボックス４０は、電源スイッチ４０ａと、表示部４０ｂと、操作スイッチ４０ｃを有している。電源スイッチ４０ａをＯＮにして、操作スイッチ４０ｃを操作すると、出力機器１１が作動する。そして、表示部４０ｂでは、制御ボックス２０からの情報によりトラクタバッテリ１５の容量が少なくなった場合に、その旨の表示を行う。表示の例としては、バッテリ容量が一定以下になるとＬＥＤ等のランプが点灯する方式や、バッテリ容量が一定以下になるとＬＥＤの点灯が緑から赤に変わる方式、又は、バッテリ容量が一定以下になるとＬＥＤ等のランプの点灯が消える方式、液晶表示により残量を警告する方式が挙げられる。また、これ以外に、操作ボックス４０には、ブザーや音声等、音による警告をする構成を有していてもよい。
【００２１】
図３は、本発明の農作業機のバッテリ監視システムが適用される作業機２の一例を示す正面図である。図４は、同じく平面図を示す。図３と図４の作業機２は折りたたみ機構を備えた代掻き機５０（ウイングハロー）であり、入力軸５１側をトラクタ１に装着し、トラクタ１からのＰＴＯ動力により、カバー５２や均平板５３の内側で代掻き爪が回転することにより代掻き作業を行う。
【００２２】
電動油圧シリンダ５６、５６’は、シリンダが伸び縮みすることにより、回動機構５７、５７’を作用させサイド作業部５５、５５’を（図３の左側のように）上側に折りたたみ、代掻き機５０の全幅を短くすることができる。延長レーキ開閉装置６０、６０’は、内部のモーターが回転することにより、制御バー６２、６２’やワイヤ６３、６３’を介して延長レーキ６１、６１’を回動軸６１ａ、６１ａ’を中心に左右に回動させ、延長レーキ６１、６１’を使用するか否かを選択することができる。土引きユニット６６は、内部のモーターの回転により土引き部６７等を介してレーキ６５の上下動を制御し、土引きを調整することができる。
【００２３】
また、制御ボックス２０は、各出力機器１１である電動油圧シリンダ５６、５６’や、延長レーキ開閉装置６０、６０’（のモーター）、土引きユニット６６（のモーター）と接続されている。このため、操作ボックス４０の操作スイッチ４０ｃを操作すると制御ボックス２０は操作ボックス４０からの操作信号に基づき、電動油圧シリンダ５６、５６’や、延長レーキ開閉装置６０、６０’（のモーター）、土引きユニット６６（のモーター）を制御する。
【００２４】
バッテリ監視ユニット１０は、トラクタバッテリ１５と接続されており、トラクタバッテリ１５の容量が一定以下になった場合、制御ボックス２０を介して操作ボックス４０の表示部４０ｂの表示や音で知らせる。これにより作業者は、トラクタバッテリ１５の容量が減っていることを知ることができ、早めの充電等の対応が可能となる。
【実施例２】
【００２５】
図５は、実施例２の農作業機のバッテリ監視システムの全体構成図を示す。実施例２は、実施例１と異なる点について説明し、同一の箇所は同一の符号を付してある。作業機２には、バッテリ監視ユニット１０と、制御ボックス２０’と、出力機器１１と、無線送受信部１２と、作業機バッテリ１６とを有している。一方、トラクタ１側には、操作ボックス４０’が配置可能となっている。
【００２６】
作業機バッテリ１６は、例えば、ニッケル水素電池や鉛蓄電池、リチウムイオン電池、リチウム電池等の二次電池で構成されるバッテリであり作業機２側に設置され、作業機２で出力機器１１や無線送受信部１２、制御ボックス２０’などに必要な電力を供給する。このため、実施例１のようにトラクタ１側との電源供給のためのハーネスを必要としない。
【００２７】
バッテリ監視ユニット１０は、作業機バッテリ１６と制御ボックス２０’の間に接続され、作業機バッテリ１６の現在の容量を監視する。監視の方式は、実施例１と同様である。
【００２８】
無線送受信部１２は、制御ボックス２０’と接続され、操作ボックス４０’との無線送受信を行う。
【００２９】
操作ボックス４０’は、実施例１で説明した電源スイッチ４０ａ、表示部４０ｂ、操作スイッチ４０ｃの他に、無線送受信部４０ｄを有している。このため、操作ボックス４０’と制御ボックス２０’と間の情報のやりとりは無線で行う。操作ボックス４０’は、運転席３近傍に配置すれば、作業者は運転しながら操作することが可能となる。
【００３０】
作業者は、操作ボックス４０’の操作スイッチ４０ｃを操作すると制御ボックス２０’へ操作信号が無線で送られ、制御ボックス２０’では、操作ボックス４０’からの操作信号に基づき、出力機器１１を制御する。一方、バッテリ監視ユニット１０は、作業機バッテリ１６と接続されており、作業機バッテリ１６の容量に関する情報は、制御ボックス２０’を介して無線でその情報を操作ボックス４０’へ送信する。そして、操作ボックス４０’の表示部４０ｂでは、バッテリの容量が少ないことを表示や音で知らせる。これにより作業者は、作業機バッテリ１６の容量が減っていることを知ることができる。その場合、作業者は、充電器１７を介して電源１８から、作業機バッテリ１６を充電できる。
【００３１】
実施例２では、作業機２側に作業機バッテリ１６が設置され、操作ボックス４０’との情報は無線によりやりとりするため、トラクタ１と作業機２の間のハーネスを必要としない。このことは、トラクタ１に作業機２を付け替える際にハーネスの配線等を行う必要がなくなる。一方、独立していて把握しにくい作業機バッテリ１６の現在の容量は、操作ボックス４０’で把握することができる。
【実施例３】
【００３２】
図６は、実施例３の農作業機のバッテリ監視システムの全体構成図を示す。実施例３は、実施例１や実施例２と異なる点について説明し、同一の箇所は同一の符号を付してある。作業機２には、バッテリ監視ユニット１０と、制御ボックス２０と、出力機器１１と、作業機バッテリ１６とを有している。一方、トラクタ１側には、トラクタバッテリ１５を有しており、操作ボックス４０が配置可能となっている。
【００３３】
出力機器１１、制御ボックス２０、操作ボックス４０は実施例１と同様であり、操作ボックス４０と制御ボックス２０間は有線により接続されている。一方、作業機バッテリ１６は、実施例２と同様であり、作業機２側に設置されている。バッテリ監視ユニット１０は、作業機バッテリ１６と制御ボックス２０の間に接続され、作業機バッテリ１６の現在の容量を監視する。監視の方式は、実施例１や実施例２と同様である。また、トラクタバッテリ１５や外部電源ハーネス３１の構成は実施例１で説明した通りである。
【００３４】
一方、作業機バッテリ１６への充電は、トラクタバッテリ１５から行うことが可能となっている。作業機側の電力は作業機バッテリ１６でまかない、作業者は、操作ボックス４０からの報知により、作業機バッテリ１６の容量が少なくなったことを知ったとき、接続ハーネス３５の一端を作業機バッテリ１６に取り付け、接続ハーネス３５の他端に有する接続部３５ａを外部電源ハーネス３１の接続部３１ａと接続する。このことにより、トラクタバッテリ１５から作業機バッテリ１６へ充電が行われる。
【実施例４】
【００３５】
図７は、実施例４の農作業機のバッテリ監視システムの全体構成図を示す。実施例４は、実施例１や実施例２と異なる点について説明し、同一の箇所は同一の符号を付してある。作業機２には、バッテリ監視ユニット１０と、制御ボックス２０’と、出力機器１１と、無線送受信部１２と、作業機バッテリ１６とを有している。一方、トラクタ１側には、トラクタバッテリ１５を有しており、操作ボックス４０’が配置可能となっている。
【００３６】
出力機器１１、無線送受信部１２、制御ボックス２０’、操作ボックス４０’、作業機バッテリ１６は実施例２と同様であり、操作ボックス４０’と制御ボックス２０’間は無線により通信が行われ、作業機バッテリ１６は作業機２側に設置されている。バッテリ監視ユニット１０は、作業機バッテリ１６と制御ボックス２０’の間に接続され、作業機バッテリ１６の現在の容量を監視する。監視の方式は、実施例１や実施例２と同様である。また、トラクタバッテリ１５や外部電源ハーネス３１の構成は実施例１で説明した通りである。
【００３７】
通常は、作業機側の電力は作業機バッテリ１６でまかなう。これにより、トラクタ１と作業機２の間のハーネスを必要としない。そして、作業者は、操作ボックス４０’からの報知により、作業機バッテリ１６の容量が少なくなったことを知ったとき、接続ハーネス３６の一端をバッテリ監視ユニット１０に取り付け、接続ハーネス３６の他端に有する接続部３６ａを外部電源ハーネス３１の接続部３１ａと接続する。このことにより、トラクタバッテリ１５から直接、制御ボックス２０’や出力機器１１側へ電力が供給されることになる。このとき、バッテリ監視ユニット１０は、トラクタバッテリ１５の現在の容量を検知し、操作ボックス４０’で報知することが可能となる。そして、作業者は、農作業が終了したとき等に、実施例２で示した充電器１７等で作業機バッテリ１６の充電を行えばよく、農作業を大幅に中断することがなくなる。
【００３８】
以上、実施例１、２，４では外部電源ハーネス３１による外部電源について説明したが、これ以外に、スイッチ３２を有さない直結の方式でも適用することができる。また、バッテリ監視ユニット１０は、制御ボックス２０、２０’内に構成することも、無線送受信部１２のユニット内に構成することも可能である。
【符号の説明】
【００３９】
１    トラクタ
２      作業機
１０    バッテリ監視ユニット
１１    出力機器
１２    無線送受信部
１５    トラクタバッテリ
１６    作業機バッテリ
２０、２０’    制御ボックス
３１    外部電源ハーネス
４０、４０’    操作ボックス
４０ｂ  表示部
４０ｃ  操作スイッチ
４０ｄ  無線送受信部
５０    代掻き機
５５、５５’    サイド作業部
５６、５６’    電動油圧シリンダ
６０、６０’      レーキ開閉装置
６１、６１’    延長レーキ
６５      レーキ
６６      土引きユニット
【図１】
2011153962.tif 000003
【図２】
2011153962.tif 000004
【図３】
2011153962.tif 000005
【図４】
2011153962.tif 000006
【図５】
2011153962.tif 000007
【図６】
2011153962.tif 000008
【図７】
2011153962.tif 000009